(57)【特許請求の範囲】
【請求項１】
ショートメッセージＳＭをユーザ機器ＵＥに向けて転送するためのＭＴ転送ショートメッセージ要求ＴＦＲメッセージを受信することが可能なモビリティマネージメントエンティティＭＭＥまたはサービングＧＰＲＳサポートノードＳＧＳＮであって、
−  省電力化機構を使用するＵＥに向けてＳＭを転送するためのＴＦＲメッセージであって、ＳＭゲートウェイにおいてＭＴ転送ショートメッセージアンサーＴＦＡメッセージの受け取りを監視するために使用される時間を示すＳＭ配信タイマ／ＳＭ配信開始時間を含むＴＦＲメッセージを受信すると、ＳＭ配信タイマ／ＳＭ配信開始時間によって示される時間枠内でＵＥがウェークアップしている場合、ＳＭ再送信なしにＳＭをＵＥに配信する
ように構成される、ＭＭＥまたはＳＧＳＮ。
【請求項２】
−  前記省電力化機構が、拡張アイドルモードＤＲＸを含む、請求項１に記載のＭＭＥまたはＳＧＳＮ。
【請求項３】
モビリティマネージメントエンティティＭＭＥとのＳＧｓインタフェースを含むＳＭ配信ネットワーク上でユーザ機器ＵＥに向けてショートメッセージＳＭを転送するための要求メッセージを受信することが可能なモバイルスイッチングセンタ／ビジターロケーションレジスタＭＳＣ／ＶＬＲであって、
−  ＳＭゲートウェイにおいてアンサーメッセージの受け取りを監視するために使用される時間を示すＳＭ配信タイマ／ＳＭ配信開始時間を含む要求メッセージを受信すると、前記ＳＭ配信タイマ／ＳＭ配信開始時間を、ＳＧｓを通じて前記ＭＭＥに送られるページング要求に含める
ように構成される、ＭＳＣ／ＶＬＲ。
【請求項４】
ユーザ機器ＵＥが再度到達可能になったとき通知要求ＮＯＲメッセージをホーム加入者サーバＨＳＳに送ることが可能なモビリティマネージメントエンティティＭＭＥまたはサービングＧＰＲＳサポートノードＳＧＳＮであって、
−  ＵＥからのページング応答後、ＭＭＥまたはＳＧＳＮが前記ＵＥとのシグナリング接続を維持することを意図するときまでの時間窓を示す最大ＵＥ使用可能時間を、省電力化機構を使用するＵＥが再度到達可能になったときに送られるＮＯＲメッセージに含める
ように構成される、ＭＭＥまたはＳＧＳＮ。
【請求項５】
−  前記最大ＵＥ使用可能時間が、省電力化機構を使用するＵＥに送られたＳＭの再送信を優先するべきであることをサービスセンタＳＣに示す、請求項４に記載のＭＭＥまたはＳＧＳＮ。
【請求項６】
−  前記省電力化機構が、拡張アイドルモードＤＲＸを含む、請求項４または５に記載のＭＭＥまたはＳＧＳＮ。
【請求項７】
ＵＥが再び到達可能かを検出することが可能であり、ＳＧｓインタフェースを介してＭＳＣ／ＶＬＲとインタフェースするモビリティマネージメントエンティティＭＭＥであって、
−  ＵＥからのページング応答後、ＭＭＥが前記ＵＥとのシグナリング接続を維持することを意図するときまでの時間窓を示す最大ＵＥ使用可能時間を、省電力化機構を使用するＵＥが再び到達可能になったとき前記ＭＳＣ／ＶＬＲに送られるＵＥ到達可能メッセージに含める
ように構成される、ＭＭＥ。
【請求項８】
−  前記最大ＵＥ使用可能時間が、省電力化機構を使用するＵＥへのＳＭの再送信を優先するべきであることをサービスセンタＳＣに示す、
請求項７に記載のＭＭＥ。
【請求項９】
−  前記省電力化機構が、拡張アイドルモードＤＲＸを含む、請求項７または８に記載のＭＭＥまたはＳＧＳＮ。
【請求項１０】
ユーザ機器ＵＥが再び到達可能になったことを示す通知メッセージをモバイルネットワークエンティティから受信することが可能なホーム加入者サーバＨＳＳであって、
−  ＵＥからのページング応答後、モバイルネットワークエンティティが前記ＵＥとのシグナリング接続を維持することを意図するときまでの時間窓を示す最大ＵＥ使用可能時間を含む通知メッセージを受信すると、前記最大ＵＥ使用可能時間を、ショートメッセージＳＭゲートウェイに送られるアラートメッセージに含める
ように構成される、ＨＳＳ。
【請求項１１】
ユーザ機器ＵＥに向けてショートメッセージＳＭを転送するための要求メッセージをモバイルネットワークエンティティに送ることが可能なショートメッセージＳＭゲートウェイであって、
−  直ちに配信できない場合、どのくらい長い間ＳＭゲートウェイはＳＭを格納する準備が整っているかを示す最大再送信時間を前記要求メッセージに含める
ように構成される、ＳＭゲートウェイ。
【請求項１２】
ＳＭをユーザ機器ＵＥに向けて転送するためのＭＴ転送ショートメッセージ要求ＴＦＲメッセージを受信し、前記ＳＭの前記ＵＥへの配信の成功または失敗を示すＭＴ転送ショートメッセージアンサーＴＦＡメッセージをＳＭゲートウェイに送ることが可能なモビリティマネージメントエンティティＭＭＥまたはサービングＧＰＲＳサポートノードＳＧＳＮであって、
−  直ちに配信できない場合どのくらい長い間ＳＭゲートウェイはＳＭを格納する準備が整っているかを示す最大再送信時間を含む、省電力化機構を使用するＵＥにＳＭメッセージを転送するＴＦＲメッセージを受信すると、
ＵＥが前記最大再送信時間内に到達可能である場合、
・ＳＭがＳＭゲートウェイによって再送されるべきである時間とともに、配信失敗を示すＴＦＡメッセージを送る
ように構成される、ＭＭＥまたはＳＧＳＮ。
【請求項１３】
−  ＵＥ到達不可能フラグを設定することなく、ＳＭがＳＭゲートウェイによって再送されるべきである時間とともに、配信失敗を示す前記ＴＦＡメッセージを送る
ように構成される、請求項１２に記載のＭＭＥまたはＳＧＳＮ。
【請求項１４】
−  前記省電力化機構が、拡張アイドルモードＤＲＸを含む、請求項１２または１３に記載のＭＭＥまたはＳＧＳＮ。
【請求項１５】
ショートメッセージＳＭをユーザ機器ＵＥに向けて転送するための要求メッセージに応答してアンサーメッセージをモバイルネットワークエンティティから受信することが可能なＳＭゲートウェイであって、
−  ＳＭがＳＭゲートウェイによって再送されるべき時間とともに配信失敗を示すアンサーメッセージを受信すると、前記時間にＳＭをモバイルネットワークエンティティに再送する
ように構成される、ＳＭゲートウェイ。
【請求項１６】
モビリティマネージメントエンティティＭＭＥとのＳＧｓインタフェースを含むＳＭ配信ネットワーク上でユーザ機器ＵＥに向けてショートメッセージＳＭを転送するための要求メッセージをＳＭゲートウェイから受信することが可能なモバイルスイッチングセンタ／ビジターロケーションレジスタＭＳＣ／ＶＬＲであって、
−  直ちに配信できない場合どのくらい長い間ＳＭゲートウェイはＳＭを格納する準備が整っているかを示す最大再送信時間を含む要求メッセージを受信すると、ＳＧｓを通じて前記ＭＭＥに送られるページング要求に前記最大再送信時間を含める
ように構成される、ＭＳＣ／ＶＬＲ。
【請求項１７】
ＳＧｓインタフェースを通じてモバイルスイッチングセンタ／ビジターロケーションレジスタＭＳＣ／ＶＬＲからページング要求を受信することが可能なモビリティマネージメントエンティティＭＭＥであって、
−  直ちに配信できない場合どのくらい長い間ＳＭゲートウェイはＳＭを格納する準備が整っているかを示す最大再送信時間を含む、省電力化機構を使用するＵＥに対するページング要求を、ＳＧｓインタフェースを通じて受信すると、
ＵＥが前記最大再送信時間内に到達可能である場合、
・ＳＭがＳＭゲートウェイによって再送されるべきである再送信時間とともに、配信失敗を示すＵＥ到達不可能メッセージを送る
ように構成される、ＭＭＥ。
【請求項１８】
−  前記省電力化機構が、拡張アイドルモードＤＲＸを含む、請求項１７に記載のＭＭＥ。
【請求項１９】
モビリティマネージメントエンティティＭＭＥとのＳＧｓインタフェースを通じてＵＥ到達不可能メッセージを受信し、前記ＵＥへのショートメッセージＳＭ配信の成功または失敗を示すアンサーメッセージをＳＭゲートウェイに送ることが可能なモバイルスイッチングセンタ／ビジターロケーションレジスタＭＳＣ／ＶＬＲであって、
−  ＳＭがＳＭゲートウェイによって再送されるべきである再送信時間を含むＵＥ到達不可能メッセージを受信すると、前記ＳＭ配信の失敗を示すアンサーメッセージに前記再送信時間を含める
ように構成される、ＭＳＣ／ＶＬＲ。
【請求項２０】
省電力化機構を使用するＵＥのためのモバイルターミネーティングショートメッセージＭＴ  ＳＭ配信のサポートのための方法であって、請求項１から１９のいずれかにより構成された少なくとも１つのエンティティによって実行される少なくとも１つのステップを含む、方法。
【発明の詳細な説明】
【技術分野】
【０００１】
本発明は、一般にモバイル通信ネットワークおよびシステムに関する。
【背景技術】
【０００２】
モバイルネットワークおよびシステムの説明は、文献、特に、たとえば３ＧＰＰ（第３世代パートナーシッププロジェクト）などの標準化団体によって公開されている技術仕様書などに記載されている。
【０００３】
そのようなシステムにおけるユーザ機器ＵＥ（または移動局ＭＳ）に向けてのモバイル着信ショートメッセージ配信のサポートは、特に３ＧＰＰ  ＴＳ  ２３．０４０および３ＧＰＰ  ＴＳ  ２３．２７２において規定されている。システムの、ＳＭをユーザ機器ＵＥ（または移動局ＭＳ）に移し、後で配信するために特定の機構に、配信報告または失敗報告のどちらかによるショートメッセージの配信についての情報を提供する能力が規定されている。
【０００４】
現在、マシンタイプコミュニケーション（ＭＴＣ）などの新しいサービス要件を有する新しいタイプの通信のサポートのために、そのようなネットワークおよびシステムに最適化または強化がもたらされている。そのような新しいサービス要件の一例は、ＭＴＣデバイスの電力消費量を低下させる機構が提供されるべきであるということである。
【０００５】
拡張アイドルモードＤＲＸと呼ばれる、デバイス（またはユーザ機器）の電力消費量を低下させる機構の一例は特に、３ＧＰＰ  ＴＳ  ２３．６８２および３ＧＰＰ  ＴＳ  ２３．４０１で規定されている。拡張アイドルモードＤＲＸを有するＵＥは、可能なページング発生をリッスンするためにウェークアップするときの間の、最高数分の、より長い期間の間欠受信を利用する。
【先行技術文献】
【非特許文献】
【０００６】
【非特許文献１】３ＧＰＰ  ＴＳ  ２３．０４０
【非特許文献２】３ＧＰＰ  ＴＳ  ２３．２７２
【非特許文献３】３ＧＰＰ  ＴＳ  ２３．６８２
【非特許文献４】３ＧＰＰ  ＴＳ  ２３．４０１
【非特許文献５】ＣＲ  ２３．２７２  ＃０９４７（Ｓ２−１５２６２１）
【非特許文献６】Ｃ４−１５１８０４
【非特許文献７】ｈｔｔｐ：／／ｗｗｗ．３ｇｐｐ．ｏｒｇ／ｆｔｐ／ｔｓｇ＿ＣＴ／ＴＳＧ＿ＣＴ／ＴＳＧＣ＿４９＿Ｓａｎ＿Ａｎｔｏｎｉｏ／Ｄｏｃｓ／ＣＰ−１００４６８．ｚｉｐ
【発明の概要】
【０００７】
省電力化機構（そのような省電力化機構の例としては、限定するものではないが、拡張アイドルモードＤＲＸがある）であって、その機構によりＵＥがすぐには到達可能ではない、省電力化機構を使用するＵＥに向けてのモバイル着信ショートメッセージ配信のサポートを改善することが必要とされている。特に、拡張アイドルモードＤＲＸにおけるＵＥに向けてのモバイル着信ショートメッセージ配信のサポートを改善することが必要とされている。
【０００８】
本発明の実施形態は特に、そのようなニーズに対処する。
【課題を解決するための手段】
【０００９】
これらおよび他の目的は、別の態様では、ＳＭをユーザ機器ＵＥに向けて転送するＴＦＲメッセージを受信することが可能なモバイルネットワークエンティティであって、以下のように構成されたモバイルネットワークエンティティによって達成される：
−  ＳＭゲートウェイＳＭＳＣにおいてＴＦＡメッセージの受け取りを監視するために使用される時間を示すＳＭ配信タイマ／開始時間を含む、拡張アイドルモードＤＲＸでＳＭをＵＥに向けて転送するＴＦＲメッセージを受信すると、前記タイマの満了前にＵＥが到達可能になると予想される場合指定された時間の間ＳＭを保持し、ＵＥをページングし、
−  この指定された時間の間にＵＥがこのページングに応答する場合、ＳＭをＵＥに配信し、
−  この指定された時間の間にＵＥがこのページングに応答しない場合、またはＵＥがこの時間内に応答すると予想されない場合、配信失敗をＳＭゲートウェイＳＭＳＣに向けて送り、ＵＥが現在到達可能でないことを記録するようにフラグを設定する。
【００１０】
これらおよび他の目的は、別の態様では、ＩＰ−ＳＭ−ＧＷを含まないＳＭ配信ネットワークを通じて、ＳＭをユーザ機器ＵＥに向けて転送するＴＦＲメッセージをモバイルネットワークエンティティに送ることが可能なＳＭゲートウェイＳＭＳＣであって、以下のように構成されたＳＭＳＣによって達成される：
−  ＳＭ配信タイマ／開始時間を前記ＴＦＲメッセージに含める。
【００１１】
これらおよび他の目的は、別の態様では、ＭＭＥとのＳＧｓインタフェースを含むＳＭ配信ネットワーク上でユーザ機器ＵＥに向けてＳＭを転送するためのＴＦＲメッセージを受信することが可能なＭＳＣ／ＶＬＲであって、以下のように構成されたＭＳＣ／ＶＬＲによって達成される：
−  ＳＭゲートウェイＳＭＳＣにおいてＴＦＡメッセージの受け取りを監視するために使用される時間を示すＳＭ配信タイマ／開始時間タイマを含むＴＦＲメッセージを受信すると、ＳＧｓを通じて前記ＭＭＥに送られるページング要求に前記タイマを含める。
【００１２】
これらおよび他の目的は、別の態様では、拡張アイドルモードＤＲＸのユーザ機器ＵＥが再度到達可能になったときにＮＯＲメッセージをモバイル加入者データベースＨＳＳに送ることが可能なモバイルネットワークエンティティであって、以下のように構成されたモバイルネットワークエンティティによって達成される：
−  ＵＥからのページング応答後、モバイルネットワークエンティティが前記ＵＥとのシグナリング接続を維持することを意図するときまでの時間窓を示す、最大ＵＥ使用可能時間を前記ＮＯＲメッセージに含める。
【００１３】
これらおよび他の目的は、別の態様では、拡張アイドルモードＤＲＸのユーザ機器ＵＥが再度到達可能になったときにＮＯＲメッセージをモバイル加入者データベースＨＳＳに送ることが可能なモバイルネットワークエンティティであって、以下のように構成されたモバイルネットワークエンティティによって達成される：
−  ＨＳＳがＳＭ配信失敗報告をＳＭゲートウェイＳＭＳＣから受信した後にＨＳＳでＮＯＲメッセージが受信されることを保証するために、ＵＥが到達可能でないことによるＳＭ配信失敗を報告するＳＭゲートウェイＳＭＳＣに前記モバイルネットワークエンティティが、ＴＦＡを送った場合、このＮＯＲメッセージの送出を遅延させる。
【００１４】
これらおよび他の目的は、別の態様では、拡張アイドルモードＤＲＸのＵＥが再度到達可能かを検出し、ＳＧｓインタフェースを介してＭＳＣ／ＶＬＲとインタフェースすることが可能なＭＭＥであって、以下のように構成されたＭＭＥによって達成される：
−  ＵＥからのページング応答後、ＭＭＥが前記ＵＥとのシグナリング接続を維持することを意図するときまでの時間窓を示す、最大ＵＥ使用可能時間を、前記ＵＥが再び到達可能になったとき前記ＭＳＣ／ＶＬＲに送られるＵＥ到達可能メッセージに含める。
【００１５】
これらおよび他の目的は、別の態様では、ユーザ機器ＵＥが再度到達可能であることを示すＮＯＲメッセージをモバイルネットワークエンティティから受信することが可能なモバイル加入者データベースＨＳＳであって、以下のように構成されたモバイル加入者データベースによって達成される：
−  ＵＥからのページング応答の後、モバイルネットワークエンティティが前記ＵＥとのシグナリング接続を維持することを意図するときまでの時間窓を示す、最大ＵＥ使用可能時間を含むＮＯＲメッセージを受信すると、ＳＭゲートウェイＳＭＳＣに送られるアラートメッセージに前記最大ＵＥ使用可能時間を含める。
【００１６】
これらおよび他の目的は、別の態様では、ユーザ機器ＵＥが再度到達可能であることを示すアラートメッセージをモバイル加入者データベースＨＳＳエンティティから受信することが可能なＳＭゲートウェイＳＭＳＣであって、以下のように構成されたＳＭゲートウェイＳＭＳＣによって達成される：
−  ＵＥからのページング応答後、モバイルネットワークエンティティが前記ＵＥとのシグナリング接続を維持することを意図するときまでの時間窓を示す、最大ＵＥ使用可能時間を含むアラートメッセージを受信すると、最大ＵＥ使用可能時間によって示される時間内に前記ＵＥに配信できなかったＳＭの再送信を優先させる。
【００１７】
これらおよび他の目的は、別の態様では、ＳＭをユーザ機器ＵＥに向けて転送するＴＦＲメッセージをモバイルネットワークエンティティに送ることが可能なＳＭゲートウェイＳＭＳＣであって、以下のように構成されたＳＭＳＣによって達成される：
−  ＳＭが直ちに配信できない場合、どのくらい長い間ＳＭＳＣはＳＭを格納する準備が整っているかを示す最大再送信時間を前記ＴＦＲメッセージに含める。
【００１８】
これらおよび他の目的は、別の態様では、ＳＭをユーザ機器ＵＥに向けて転送するＴＦＲメッセージを受信し、前記ＵＥへの前記ＳＭの配信の成功または失敗を示すＴＦＡメッセージをＳＭゲートウェイに送ることが可能なモバイルネットワークエンティティであって、以下のように構成されたモバイルネットワークエンティティによって達成される：
−  ＳＭが直ちに配信できない場合どのくらい長い間ＳＭＳＣはＳＭを格納する準備が整っているかを示す最大再送信時間を含む、拡張アイドルＤＲＸモードのＵＥにＳＭメッセージを転送するＴＦＲメッセージを、受信した時、およびＵＥが前記最大再送信時間内に到達可能である場合、
・ＳＭがＳＭＳＣによって再送されるべきである時間とともに、配信失敗を示すＴＦＡメッセージを送る。
【００１９】
これらおよび他の目的は、別の態様では、ＳＭをユーザ機器ＵＥに向けて転送するＴＦＲメッセージに応答してＴＦＡメッセージをモバイルネットワークエンティティから受信することが可能なＳＭゲートウェイＳＭＳＣであって、以下のように構成されたＳＭＳＣによって達成される：
−  ＳＭがＳＭＳＣによって再送されるべき時間とともに配信失敗を示すＴＦＡメッセージを受信すると、前記時間にＳＭをモバイルネットワークエンティティに再送する。
【００２０】
これらおよび他の目的は、別の態様では、ＭＭＥとのＳＧｓインタフェースを含むＳＭ配信ネットワーク上でユーザ機器ＵＥに向けてＳＭを転送するためのＴＦＲメッセージを受信することが可能なＭＳＣ／ＶＬＲであって、以下のように構成されたＭＳＣ／ＶＬＲによって達成される：
−  ＳＭが直ちに配信できない場合どのくらい長い間ＳＭＳＣはＳＭを格納する準備が整っているかを示す最大再送信時間を含むＴＦＲメッセージを受信すると、ＳＧｓを通じて前記ＭＭＥに送られるページング要求に前記最大再送信時間を含める。
【００２１】
これらおよび他の目的は、別の態様では、ＳＧｓインタフェースを通じてＭＳＣ／ＶＬＲからページング要求を受信することが可能なＭＭＥであって、以下のように構成されたＭＭＥによって達成される：
−  ＳＭが直ちに配信できない場合どのくらい長い間ＳＭＳＣはＳＭを格納する準備が整っているかを示す最大再送信時間を含む、拡張アイドルＤＲＸモードのＵＥに対するページング要求を、ＳＧｓインタフェースを通じて受信した時、およびＵＥが前記最大再送信時間内に到達可能である場合、
・ＳＭがＳＭＳＣによって再送されるべきである再送信時間とともに、配信失敗を示すＵＥ到達不可能メッセージを送る。
【００２２】
これらおよび他の目的は、別の態様では、ＭＭＥとのＳＧｓインタフェースを通じてＵＥ到達不可能メッセージを受信し、前記ＵＥへのＳＭ配信の成功または失敗を示すＴＦＡメッセージをＳＭゲートウェイＳＭＳＣに送ることが可能なＭＳＣ／ＶＬＲであって、以下のように構成されたＭＳＣ／ＶＬＲによって達成される：
−  ＳＭがＳＭＳＣによって再送されるべきである再送信時間を含むＵＥ到達不可能メッセージを受信すると、前記ＳＭ配信の失敗を示すＴＦＡメッセージに前記再送信時間を含める。
【００２３】
これらおよび他の目的は、他の態様では、拡張アイドルモードＤＲＸのＵＥのためのＭＴ  ＳＭ配信のサポートのための方法によって達成され、そのような方法は、上記エンティティのうちの少なくとも１つによって実行される少なくとも１つのステップを含み、前記エンティティは、モバイルネットワークエンティティ（ＭＭＥ、ＳＧＳＮ、ＭＳＣ／ＶＬＲなど）、モバイル加入者データベース（ＨＳＳなど）、ＳＭゲートウェイ（ＳＭＳＣなど）を含む。
【００２４】
次に、単なる例として、添付の図面を参照しながら、本発明の実施形態による装置および／または方法のいくつかの実施形態が説明される。
【図面の簡単な説明】
【００２５】
【図１】拡張アイドルモードＤＲＸのＵＥのための現在のＭＴ  ＳＭＳ手順の欠点を示すことを意図した図である。
【図２】本発明の第１の実施形態による、拡張アイドルモードＤＲＸのＵＥのためのＭＴ  ＳＭＳ手順を示すことを意図した図である。
【図３】本発明の第２の実施形態による、拡張アイドルモードＤＲＸのＵＥのためのＭＴ  ＳＭＳ手順を示すことを意図した図である。
【図４】本発明の第３の実施形態による、拡張アイドルモードＤＲＸのＵＥのためのＭＴ  ＳＭＳ手順を示すことを意図した図である。
【図５】本発明の第４の実施形態による、拡張アイドルモードＤＲＸのＵＥのためのＭＴ  ＳＭＳ手順を示すことを意図した図である。
【図６】本発明の第５の実施形態による、拡張アイドルモードＤＲＸのＵＥのためのＭＴ  ＳＭＳ手順を示すことを意図した図である。
【発明を実施するための形態】
【００２６】
略語
ＡＬＲ            アラートサービスセンタ要求
ＡＬＡ            アラートサービスセンタアンサー
ＡＶＰ            属性値ペア
ＤＥＡ            ＤｉａｍｅｔｅｒＥＡＰアンサー
ＤＥＲ            ＤｉａｍｅｔｅｒＥＡＰ要求
ＥＰＣ            進化型パケットコア
ＥＰＳ            進化型パケットシステム
Ｅ−ＵＴＲＡＮ    進化型ユニバーサル地上無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）
ＨＰＬＭＮ        ホームパブリックランドモバイルネットワーク
ＨＳＳ            ホーム加入者サーバ
ＩＰ−ＳＭ−ＧＷ  ＩＰショートメッセージゲートウェイ
ＬＴＥ            ロングタームエボリューション
ＭＷＤ            メッセージ待機データ
ＮＯＲ            通知要求
ＮＯＡ            通知アンサー
ＰＬＭＮ          パブリックランドモバイルネットワーク
ＲＤＲ            ＳＭ配信ステータス報告要求
ＲＤＡ            ＳＭ配信ステータス報告アンサー
ＳＭＳ−ＧＭＳＣ  ＳＭＳのためのゲートウェイＭＳＣ
ＳＲＡ            ＳＭに対するルーティング情報送出アンサー（Ｓｅｎｄ−Ｒｏｕｔｉｎｇ−Ｉｎｆｏ−ｆｏｒ−ＳＭ−Ａｎｓｗｅｒ）
ＳＲＲ            ＳＭに対するルーティング情報送出要求（Ｓｅｎｄ−Ｒｏｕｔｉｎｇ−Ｉｎｆｏ−ｆｏｒ−ＳＭ−Ｒｅｑｕｅｓｔ）
ＴＦＲ            ＭＴ転送ショートメッセージ要求（ＭＴ−Ｆｏｒｗａｒｄ−Ｓｈｏｒｔ−Ｍｅｓｓａｇｅ−Ｒｅｑｕｅｓｔ）
ＴＦＡ            ＭＴ転送ショートメッセージアンサー（ＭＴ−Ｆｏｒｗａｒｄ−Ｓｈｏｒｔ−Ｍｅｓｓａｇｅ−Ａｎｓｗｅｒ）
ＵＥ              ユーザ機器
【００２７】
本発明の実施形態は、以下を含む、さまざまなＳＭ配信シナリオに適用し得る：
−  ＭＭＥを介したＳＭ配信、すなわち、ＳＭＳ−ＧＭＳＣがＳＭをＭＭＥに直接送る
−  ＰＳネットワークを介したＳＭ配信（ＳＧＳＮ）、すなわち、ＳＭＳ−ＧＭＳＣがＳＭをＳＧＳＮに直接送る
−  ＳＧｓを介したＳＭ配信、すなわち、ＳＭＳ−ＧＭＳＣがＳＭをＭＳＣ／ＶＬＲに送り、ＭＳＣ／ＶＬＲがＳＧｓを介してＭＭＥにＳＭを送る
−  ＩＰ−ＳＭ−ＧＷを介したＳＭ配信
−  ＳＭＳルータを介したＳＭ配信
【００２８】
以下では、単に例示のために、第１のシナリオ（ＭＭＥを介したＳＭ配信）が図１、図２、図３、および図５で検討され、第２のシナリオ（ＳＧｓを介したＳＭ配信）が図４および図６で検討される。
【００２９】
序論
ＣＲ  ２３．２７２  ＃０９４７（Ｓ２−１５２６２１）は、拡張アイドルモードＤＲＸを使用してＵＥにＭＴショートメッセージを配信するためにステージ２解決策を規定している。対応するステージ３要件は、ＣＴ４＃７０ｂｉｓミーティングの間にＣ４−１５１８０４において規定および合意された。
【００３０】
本発明のさまざまな態様および／または実施形態の説明
ＣＴ４＃７０ｂｉｓで合意されたステージ２およびステージ３  ＣＲで規定された解決策は、図１（ＳＭＳ−ＧＭＳＣからＭＭＥへの直接ＭＴ  ＳＭ配信の例を示す）に示された呼フローおよび原理に依拠する：
【００３１】
図１−ＮＯＲによってトリガされたＳＭ再送信−現在の解決策
１−２  ＵＥにサービスするノードのアドレスを取り出すための、ＨＳＳへのＳＭＳ−ＧＭＳＣの、ＳＭに対するルーティング情報送出要求（ＳＲＲ）コマンド。
【００３２】
３  ＳＭＳ−ＧＭＳＣは、ＭＴ転送ショートメッセージ要求（ＴＦＲ）をサービングＭＭＥに送る。
【００３３】
４．ＭＭＥは、ＵＥが拡張アイドルモードＤＲＸであり、すぐ（たとえば、次の１０秒以内または、ＴＦＲ内で受信された場合のＳＭ配信タイマ／ＳＭ配信開始時間（ＳＭ−Ｄｅｌｉｖｅｒｙ−Ｔｉｍｅｒ／ＳＭ−Ｄｅｌｉｖｅｒｙ−Ｓｔａｒｔ−Ｔｉｍｅ）によって示される時間枠以内に）到達可能でないことを知っている場合、即時にＴＦＲを拒否し、ＭＭＥがＭＮＲＦフラグを設定する。ＭＭＥはまた、ＵＥをページングする。
【００３４】
注記：
ＳＭ配信タイマ／ＳＭ配信開始時間パラメータは元々、ＩＰ−ＳＭ−ＧＷにおけるタイムアウトの防止のために、ＣＲ  ２９．００２  ＃０９５７によって導入された。ＴＳ  ２９．００２に従って、ＳＭＳ−ＧＭＳＣは、ＩＰ−ＳＭ−ＧＷを介してＭＴ  ＳＭを配信するとき、これらのパラメータを設定し、ＳＲＡはＩＰ−ＳＭ−ＧＷ−ガイダンスＩＥを（最小配信時間値および推奨配信時間値とともに）含む。そうである場合、ＴＦＲ内のＳＭ配信タイマ値は、ＳＭＳ−ＧＭＳＣによって使用される監視タイマ値を示す。
【００３５】
ｈｔｔｐ：／／ｗｗｗ．３ｇｐｐ．ｏｒｇ／ｆｔｐ／ｔｓｇ＿ＣＴ／ＴＳＧ＿ＣＴ／ＴＳＧＣ＿４９＿Ｓａｎ＿Ａｎｔｏｎｉｏ／Ｄｏｃｓ／ＣＰ−１００４６８．ｚｉｐを参照されたい
【００３６】
５−６．おそらくサービングＳＧＳＮを介してＭＴ  ＳＭをＵＥに配信しようとした後、ＳＭＳ−ＧＭＳＣは、ＳＭ配信が不成功であったという標識とともにＳＭ配信ステータス報告要求（ＲＤＲ）をＨＳＳに送る。ＨＳＳは、ＭＮＲＦ（および、おそらくＭＮＲＧ）フラグを設定し、ＨＳＳは、単一回試行配信（ｓｉｎｇｌｅ−ａｔｔｅｍｐｔ−ｄｅｌｉｖｅｒｙ）が要求されなかった場合、そのメッセージ待機データ（ＭＷＤ）にサービスセンタアドレスを格納する。
【００３７】
７．ＵＥがページング要求に応答するとき、ＵＥとＭＭＥとの間でシグナリング接続が確立され、ＭＭＥは、ＳＭＳ−ＧＭＳＣがＭＴ  ＳＭを再送信するための時間に十分なほど長いと考える持続時間にわたって、このシグナリング接続を維持する。
【００３８】
８−９  ＭＭＥは、ＵＥが到達可能になったことをシグナリングするために、通知要求（ＮＯＲ）をＨＳＳに送る。
【００３９】
１０−１１  ＨＳＳは、ＭＴ  ＳＭの再送信をトリガするために、アラートサービスセンタ要求（ＡＬＲ）をサービスセンタに送る。
【００４０】
１２−１４  ＳＣおよびＳＭＳ−ＧＭＳＣは、ＨＳＳへの追加のＳＲＲクエリの後、ＭＴ  ＳＭを再送信する。
【００４１】
解決策は、以下のメリットを提示する：
【００４２】
ａ．ＳＭ再送信は、ＵＥが到達可能であることが実際に知られているときのみトリガされる。
【００４３】
ｂ．合間にｅＤＲＸ期間が再ネゴシエーションされた（たとえば、ＵＥが異なるＭＭＥ／ＳＧＳＮに移動したことにより、またはＵＥが新しいＰＤＮ接続を確立したことにより）場合、ＳＭ再送は成功する
【００４４】
ｃ．ＳＭＳ−ＧＭＳＣに対する最小の影響（または、影響はない）
【００４５】
ｄ．ＭＮＲＦフラグがＨＳＳにおいて設定される。そのため、ＵＥが、ＨＳＳに到達可能であることが報告されるまで、その後の同じＵＥへのＭＴ  ＳＭは、新しいＴＦＲコマンドをＭＭＥにトリガしない。
【００４６】
しかしながら、この解決策は、以下の潜在的な問題を有する：
【００４７】
ｅ．ｅＤＲＸ（ｅＤＲＸ期間＞約１０秒、またはＴＦＲ内で受信された場合のＳＭ配信タイマ／ＳＭ配信開始時間によって示される時間枠以内）におけるＵＥのためのあらゆるＭＴ  ＳＭは、ＨＳＳにおいてメッセージの４つの余分なペア（ＲＤＲ、ＮＯＲ、ＡＬＲ、およびＳＲＲ）を系統的に引き起こす。ｅＤＲＸの導入の前は、これらのメッセージは、ＵＥが到達可能でないときトリガされ、このことは通常、依然としてかなり希なケースであるべきである（常時オン接続性を有するＵＥの場合）。ｅＤＲＸを用いると、ＭＴ  ＳＭは、ＨＳＳへのかなりの追加シグナリングを引き起こし得る。
【００４８】
ｆ．ＨＳＳで非同期のメッセージが受信される、すなわち、ＴＦＡとＮＯＲメッセージとの間の短い時間期間（たとえば、５秒、１０秒、または２０秒という短いｅＤＲＸ期間）の場合、ＨＳＳがＮＯＲをＭＭＥから受信した後、ＳＭＳ−ＧＭＳＣがＨＳＳにＲＤＲを送るという潜在的なリスクがある。たとえば、ＳＭＳ−ＧＭＳＣがＳＲＡ内のＭＭＥアドレスとＳＧＳＮアドレスの両方を得た場合、ＳＭＳ−ＧＭＳＣは、ＴＦＡをＭＭＥから得た後、ＲＤＲをＨＳＳに送る前に、ＴＦＲをＳＧＳＮに送ることができる。
ＮＯＲがＲＤＲメッセージの前にＨＳＳに到着した場合、ＨＳＳは、ＳＭを再送信するためにＳＣをトリガしない。その上、ＨＳＳは、そのＭＮＲＦフラグを設定するが、ＭＮＲＦフラグはもはやＭＭＥで設定されず、結果として、すべてのその後のＭＴ  ＳＭがＭＭＥに送られないことになる。
【００４９】
ｇ．ＳＣとＭＭＥとの間で、ＭＭＥがＵＥとのシグナリング接続を維持する時間期間についての同期がない。そのため、シグナリング接続が維持される時間窓の間にＳＭＳ−ＧＭＳＣがＳＭを再送信するという保証はない（たとえば、ＳＭＳ−ＧＭＳＣオーバロード）。
【００５０】
ｈ．この手順が使用される場合、およびＭＷＤが、単一回配信試行ＳＭのために使用されない場合（現在規定されているように）、単一回配信試行ＳＭは、ＵＥに送信されることはできない。
【００５１】
以下の提案（本発明の異なる態様を含む）は、これらの潜在的な問題を緩和するために示唆される。
【００５２】
提案１：メッセージがＨＳＳにおいて同期されないというリスクを回避するために、ＴＦＡの送出とＨＳＳに向けてのその後のＮＯＲとの間で、ＲＤＲがあらかじめＳＭＳ−ＧＭＳＣからＨＳＳに送られるために十分な時間が経過することが必要であるので、上記の機構は、すぐ（たとえば、次の１０秒以内）ウェークアップすることが知られているＵＥを対象としないことを反映するステージ３  ＣＲで注記を追加することが提案される。ＭＭＥ／ＳＧＳＮは、ＨＳＳにおけるＲＤＲとＮＯＲの同期された受信を保証することが必要とされる場合（たとえば、ＵＥがＴＦＡの送出後すぐにシグナリングを始める場合）、ＮＯＲの送出を遅延させるべきである。
【００５３】
提案２：さらに、ＭＴ  ＳＭ送信がＩＰ−ＳＭ−ＧＷに関連するかどうかにかかわらず、ＭＭＥ／ＳＧＳＮがＴＦＡをいつまで送信できるかを、ＭＭＥ／ＳＧＳＮに知らせるためにＳＭ配信タイマＩＥおよびＳＭ配信開始時間ＩＥをＴＦＲに含めることも提案される。これによって、ＭＭＥ／ＳＧＳＮは、ＵＥがＳＭ配信タイマ／ＳＭ配信開始時間によって示される時間枠内に（たとえば、次の３０秒以内に）ウェークアップしている場合、ＳＭ再送信なしでＳＭをＵＥに送る、すなわち、上記の解決策をトリガすることを回避し、したがって、ＨＳＳにおけるメッセージ同期問題を解決することができる。
【００５４】
提案２による一実施形態は、図２（ＳＭ再送信なしでＳＭが配信される場合を示す）および図３（ＳＭ再送信ありでＳＭが配信される場合を示す）に示されている。
【００５５】
提案３：ページング応答後、ＭＭＥ／ＳＧＳＮがＵＥとのシグナリング接続を維持することを意図するときまでの時間窓（たとえば３０秒）を示す、新しい最大ＵＥ使用可能時間をＮＯＲメッセージおよびＡＬＲメッセージに含めることが提案される。これは、ＳＣに、ｅＤＲＸでＵＥに送られたＳＭの再送信を優先させるべきであることを知らせる。ＭＭＥおよびＨＳＳはＮＯＲメッセージを交換するときＭＮＲＦフラグを再設定するので、示された時間窓内にＳＣがＳＭを再送信することができない場合ですら、ＳＣ（およびＳＭＳ−ＧＭＳＣ）は、ＭＮＲＦフラグを再装備するためにＴＦＲをＭＭＥ／ＳＧＳＮに再送することが必要であることに留意されたい。
【００５６】
提案３による一実施形態は、図３および図４に示されている。
【００５７】
極めて長い（たとえば、＞１０分）ｅＤＲＸ期間の場合、この解決策に依拠することは、原理上は優れているが、より短いｅＤＲＸ期間（たとえば、＜１０分）の場合、ＨＳＳにおけるシグナリングオーバーヘッドを引き起こす懸念事項になることがある。より短いｅＤＲＸ期間では、ＵＥがその次の予想ページング時間に到達不可能になる（たとえば、そのｅＤＲＸ期間再ネゴシエーションする、またはデタッチする）、または不必要なＴＦＲが他のＭＴ  ＳＭのためにＭＭＥに送られるというリスクは、依然として最小限である。
【００５８】
提案４：以下の任意選択の解決策を定義することが提案される：
【００５９】
１−２  図１と同じである
【００６０】
３  ＳＭＳ−ＧＭＳＣは、ＴＦＲにおいて、新しい最大再送信時間ＡＶＰ（たとえば、５から１０分）を含めることによってこの任意選択の手順をサポートするかどうかを示し、新しい最大再送信時間ＡＶＰは、ＳＭが直ちに配信できない場合どのくらい長い間ＳＭＳ−ＧＭＳＣはＳＭを格納する準備が整っているかを示す。
【００６１】
４  ＴＦＲが最大再送信時間ＡＶＰを含まない場合、ＭＭＥは図１の解決策に戻る。
そうではなく、ＵＥが、ＴＦＲにおいて提供される最大再送信時間内に到達可能である場合、ＭＭＥは、ＳＭがＳＭＳ−ＧＭＳＣによって再送されるべき時間とともにＴＦＡ否定的アンサー／エラーを即時に送る。ＭＭＥはＭＮＲＦフラグを設定しない。ＭＭＥはまた、ＵＥをページングする。
ＳＭＳ−ＧＭＳＣは、ＲＤＲをＨＳＳに送らない。ＳＭＳ−ＧＭＳＣは、ＳＭ再送信を、単一回試行配信−ＳＭのための第２の試行とみなすべきではない。
【００６２】
５  ＭＮＲＦフラグが設定されなかったので、ＭＭＥはＮＯＲをＨＳＳに送らない。
【００６３】
６  ＳＭＳ  ＧＭＳＣは、ＴＦＡ内で示される時間にＳＭを再送信する。ＴＦＲは、ＳＭＳ−ＧＭＳＣに示された時間にＵＥが到達可能でない場合にデフォルト解決策に戻るように、最大再送信時間ＡＶＰを含むべきではない。
【００６４】
提案４による一実施形態が、図５および図６に示されている。
【００６５】
このオプションは、以下のメリットを提示する：
ａ．ｅＤＲＸのＵＥのためのＭＴ  ＳＭは、余分なＨＳＳシグナリングを引き起こさない
ｂ．ＨＳＳで受信されるメッセージの同期の短いｅＤＲＸ期間（たとえば、最大２０秒）に関する問題はない
ｃ．この手順が使用される（現在規定されているように単一回試行配信ＳＭのためにＭＷＤを使用する必要なしに）場合、単一回試行配信ＳＭがＵＥに送信可能である。
【００６６】
解決策は、以下の欠点を有する：
ａ．ＵＥが実際に到達可能であるかどうかを確実に知ることなしにＳＭ再送信がトリガされる（たとえば、ＵＥは、デタッチされる可能性もあり、トンネル内にある可能性もあり、ｅＤＲＸ期間が再ネゴシエーションされる可能性もある…）
ｂ．ＳＭＳ−ＧＭＳＣに対するより多くの影響（たとえば、最大５−１０分のＭＴ−ＳＭの拡張バッファリング）
ｃ．ＭＮＲＦフラグはＨＳＳで設定されず、したがって、異なるＳＭＳ−ＧＭＳＣから同じＵＥへのその後のＭＴ  ＳＭは、到達不可能なＵＥの新しいＭＴ転送ＳＭ要求をＭＭＥにトリガする。
ｄ．拡張アイドルモードＤＲＸを使用するＵＥのためのＭＴ  ＳＭＳを配信するために第２の方法を導入する。
【００６７】
第１の解決策（図２、図３）は、サポートするデフォルト（必須の）解決策であり、第２の任意選択の解決策（図５）が使用できないときのフォールバック解決策。第１の解決策は、ＵＥがたとえば次の１０分以内にページングに応答することが予想されない場合をより対象とするが、第２の解決策は、たとえば次の１０分以内に応答することが予想されるＵＥをより対象とする。
【００６８】
上記で説明された問題および提案は、ＳＭＳを配信するために使用されるいかなる解決策にも適用される：
−  ＭＭＥを介したＳＭ配信、すなわち、ＳＭＳ−ＧＭＳＣがＳＭをＭＭＥに直接送る
−  ＰＳネットワークを介したＳＭ配信（ＳＧＳＮ）、すなわち、ＳＭＳ−ＧＭＳＣがＳＭをＳＧＳＮに直接送る
−  ＳＧｓを介したＳＭ配信、すなわち、ＳＭＳ−ＧＭＳＣがＳＭをＭＳＣ／ＶＬＲに送り、ＭＳＣ／ＶＬＲがＳＧｓを介してＭＭＥにＳＭを送る
−  ＩＰ−ＳＭ−ＧＷを介したＳＭ配信
−  ＳＭＳルータを介したＳＭ配信
【００６９】
図４および図６は、ＳＧｓを介したＳＭＳ配信のための対応する呼フローを示す：
注記：
図４および図６は、他の図に記載の同じ（Ｄｉａｍｅｔｅｒ）メッセージを用いて表される。とはいえ、ここでは、対応するＭＡＰメッセージを参照することが意図されている（ＤｉａｍｅｔｅｒはＭＳＣ／ＶＬＲによってサポートされない）。
【００７０】
本発明のさまざまな態様には、（限定されるものではないが）以下の態様がある。
【００７１】
一態様は、ＳＭをユーザ機器ＵＥに向けて転送するＴＦＲメッセージを受信することが可能なモバイルネットワークエンティティであって、以下のように構成されるモバイルネットワークエンティティである：
−  ＳＭゲートウェイＳＭＳＣにおいてＴＦＡメッセージの受け取りを監視するために使用される時間を示すＳＭ配信タイマ／開始時間を含む、拡張アイドルモードＤＲＸでＳＭをＵＥに向けて転送するＴＦＲメッセージを受信すると、前記タイマの満了前にＵＥが到達可能になると予想される場合指定された時間の間ＳＭを保持し、ＵＥをページングし、
−  この指定された時間の間にＵＥがこのページングに応答する場合、ＳＭをＵＥに配信し、
−  この指定された時間の間にＵＥがこのページングに応答しない場合、またはＵＥがこの時間内に応答すると予想されない場合、配信失敗をＳＭゲートウェイＳＭＳＣに向けて送り、ＵＥが現在到達可能でないことを記録するようにフラグを設定する。
【００７２】
別の態様は、ＩＰ−ＳＭ−ＧＷを含まないＳＭ配信ネットワークを通じて、ＳＭをユーザ機器ＵＥに向けて転送するＴＦＲメッセージをモバイルネットワークエンティティに送ることが可能なＳＭゲートウェイＳＭＳＣであって、以下のように構成されたＳＭＳＣである：
−  ＳＭ配信タイマ／開始時間を前記ＴＦＲメッセージに含める。
【００７３】
別の態様は、ＭＭＥとのＳＧｓインタフェースを含むＳＭ配信ネットワーク上でユーザ機器ＵＥに向けてＳＭを転送するＴＦＲメッセージを受信することが可能なＭＳＣ／ＶＬＲであって、以下のように構成されたＭＳＣ／ＶＬＲである。
−  ＳＭゲートウェイＳＭＳＣにおいてＴＦＡメッセージの受け取りを監視するために使用される時間を示すＳＭ配信タイマ／開始時間タイマを含むＴＦＲメッセージを受信すると、ＳＧｓを通じて前記ＭＭＥに送られるページング要求に前記タイマを含める。
【００７４】
別の態様は、拡張アイドルモードＤＲＸのユーザ機器ＵＥが再度到達可能になったときにＮＯＲメッセージをモバイル加入者データベースＨＳＳに送ることが可能なモバイルネットワークエンティティであって、以下のように構成されたモバイルネットワークエンティティである：
−  ＵＥからのページング応答後、モバイルネットワークエンティティが前記ＵＥとのシグナリング接続を維持することを意図するときまでの時間窓を示す、最大ＵＥ使用可能時間を前記ＮＯＲメッセージに含める。
【００７５】
別の態様は、拡張アイドルモードＤＲＸのユーザ機器ＵＥが再度到達可能になったときにＮＯＲメッセージをモバイル加入者データベースＨＳＳに送ることが可能なモバイルネットワークエンティティであって、以下のように構成されたモバイルネットワークエンティティである：
−  ＨＳＳがＳＭ配信失敗報告をＳＭゲートウェイＳＭＳＣから受信した後にＨＳＳでＮＯＲメッセージが受信されることを保証するために、ＵＥが到達可能でないことによるＳＭ配信失敗を報告するＳＭゲートウェイＳＭＳＣに前記モバイルネットワークエンティティが、ＴＦＡを送った場合、このＮＯＲメッセージの送出を遅延させる。
【００７６】
別の態様は、拡張アイドルモードＤＲＸのＵＥが再度到達可能かを検出し、ＳＧｓインタフェースを介してＭＳＣ／ＶＬＲとインタフェースすることが可能なＭＭＥであって、以下のように構成されたＭＭＥである：
−  ＵＥからのページング応答後、ＭＭＥが前記ＵＥとのシグナリング接続を維持することを意図するときまでの時間窓を示す、最大ＵＥ使用可能時間を、前記ＵＥが再び到達可能になったとき前記ＭＳＣ／ＶＬＲに送られるＵＥ到達可能メッセージに含める。
【００７７】
別の態様は、ユーザ機器ＵＥが再度到達可能であることを示すＮＯＲメッセージをモバイルネットワークエンティティから受信することが可能なモバイル加入者データベースＨＳＳであって、以下のように構成されたモバイル加入者データベースである：
−  ＵＥからのページング応答の後、モバイルネットワークエンティティが前記ＵＥとのシグナリング接続を維持することを意図するときまでの時間窓を示す最大ＵＥ使用可能時間を含むＮＯＲメッセージを受信すると、ＳＭゲートウェイＳＭＳＣに送られるアラートメッセージに前記最大ＵＥ使用可能時間を含める。
【００７８】
別の態様は、ユーザ機器ＵＥが再度到達可能であることを示すアラートメッセージをモバイル加入者データベースＨＳＳエンティティから受信することが可能なＳＭゲートウェイＳＭＳＣであって、以下のように構成されたＳＭゲートウェイＳＭＳＣである：
−  ＵＥからのページング応答後、モバイルネットワークエンティティが前記ＵＥとのシグナリング接続を維持することを意図するときまでの時間窓を示す最大ＵＥ使用可能時間を含むアラートメッセージを受信すると、最大ＵＥ使用可能時間によって示される時間内に前記ＵＥに配信できなかったＳＭの再送信を優先させる。
【００７９】
別の態様は、ＳＭをユーザ機器ＵＥに向けて転送するＴＦＲメッセージをモバイルネットワークエンティティに送ることが可能なＳＭゲートウェイＳＭＳＣであって、以下のように構成されたＳＭＳＣである：
−  ＳＭが直ちに配信できない場合、どのくらい長い間ＳＭＳＣはＳＭを格納する準備が整っているかを示す最大再送信時間を前記ＴＦＲメッセージに含める。
【００８０】
別の態様は、ＳＭをユーザ機器ＵＥに向けて転送するＴＦＲメッセージを受信し、前記ＵＥへの前記ＳＭの配信の成功または失敗を示すＴＦＡメッセージをＳＭゲートウェイに送ることが可能なモバイルネットワークエンティティであって、以下のように構成されたモバイルネットワークエンティティである：
−  ＳＭが直ちに配信できない場合どのくらい長い間ＳＭＳＣはＳＭを格納する準備が整っているかを示す最大再送信時間を含む、拡張アイドルＤＲＸモードのＵＥにＳＭメッセージを転送するＴＦＲメッセージを受信した時、およびＵＥが前記最大再送信時間内に到達可能である場合、
・ＳＭがＳＭＳＣによって再送されるべきである時間とともに、配信失敗を示すＴＦＡメッセージを送る。
【００８１】
一実施形態では、前記モバイルネットワークエンティティは、以下のように構成される：
−  ＵＥ到達不可能フラグを設定することなく、ＳＭがＳＭＳＣによって再送されるべきである時間とともに、配信失敗を示す前記ＴＦＡメッセージを送る。
【００８２】
ＳＭをユーザ機器ＵＥに向けて転送するＴＦＲメッセージに応答してＴＦＡメッセージをモバイルネットワークエンティティから受信することが可能なＳＭゲートウェイＳＭＳＣであって、以下のように構成されたＳＭＳＣである：
−  ＳＭがＳＭＳＣによって再送されるべき時間とともに配信失敗を示すＴＦＡメッセージを受信すると、前記時間にＳＭをモバイルネットワークエンティティに再送する。
【００８３】
別の態様は、ＭＭＥとのＳＧｓインタフェースを含むＳＭ配信ネットワーク上でユーザ機器ＵＥに向けてＳＭを転送するためのＴＦＲメッセージを受信することが可能なＭＳＣ／ＶＬＲであって、以下のように構成されたＭＳＣ／ＶＬＲである：
−  ＳＭが直ちに配信できない場合どのくらい長い間ＳＭＳＣはＳＭを格納する準備が整っているかを示す最大再送信時間を含むＴＦＲメッセージを受信すると、ＳＧｓを通じて前記ＭＭＥに送られるページング要求に前記最大再送信時間を含める。
【００８４】
別の態様は、ＳＧｓインタフェースを通じてＭＳＣ／ＶＬＲからページング要求を受信することが可能なＭＭＥであって、以下のように構成されたＭＭＥである：
−  ＳＭが直ちに配信できない場合どのくらい長い間ＳＭＳＣはＳＭを格納する準備が整っているかを示す最大再送信時間を含む、拡張アイドルＤＲＸモードのＵＥに対するページング要求を、ＳＧｓインタフェースを通じて受信した時、およびＵＥが前記最大再送信時間内に到達可能である場合、
・ＳＭがＳＭＳＣによって再送されるべきである再送信時間とともに、配信失敗を示すＵＥ到達不可能メッセージを送る。
【００８５】
別の態様は、ＭＭＥとのＳＧｓインタフェースを通じてＵＥ到達不可能メッセージを受信し、前記ＵＥへのＳＭ配信の成功または失敗を示すＴＦＡメッセージをＳＭゲートウェイＳＭＳＣに送ることが可能なＭＳＣ／ＶＬＲであって、以下のように構成されたＭＳＣ／ＶＬＲである：
−  ＳＭがＳＭＳＣによって再送されるべきである再送信時間を含むＵＥ到達不可能メッセージを受信すると、前記ＳＭ配信の失敗を示すＴＦＡメッセージに前記再送信時間を含める。
【００８６】
他の態様は、拡張アイドルモードＤＲＸのＵＥのためのＭＴ  ＳＭ配信のサポートのための方法に関し、そのような方法は、モバイルネットワークエンティティ（ＭＭＥ、ＳＧＳＮ、ＭＳＣ／ＶＬＲなど）、モバイル加入者データベース（ＨＳＳなど）、ＳＭゲートウェイ（ＳＭＳＣなど）を含む、上記エンティティのうちの少なくとも１つによって実行される少なくとも１つのステップを含む。
【００８７】
当業者は、さまざまな上記で説明された方法のステップがプログラムされたコンピュータによって実行可能であることを容易に認識する。本明細書では、いくつかの実施形態はまた、機械可読またはコンピュータ可読であり、命令の機械実行可能またはコンピュータ実行可能なプログラムを符号化するプログラム記憶デバイス、たとえばデジタルデータ記憶媒体を包含することを意図し、前記命令は、前記上記で説明された方法のステップのいくつかまたはすべてを実行する。プログラム記憶デバイスは、たとえば、デジタルメモリ、磁気ディスクおよび磁気テープなどの磁気記憶媒体、ハードドライブ、または光学的に可読のデジタルデータ記憶媒体であってよい。実施形態はまた、上記で説明された方法の前記ステップを実行するようにプログラムされたコンピュータを包含することを意図するものである。
【図１】
0006444356.tif 000002
【図２】
0006444356.tif 000003
【図３】
0006444356.tif 000004
【図４】
0006444356.tif 000005
【図５】
0006444356.tif 000006
【図６】
0006444356.tif 000007